(57)【要約】【課題】  目的のウェブページにより速く到達することができる検索システムを提供すること。【解決手段】  この検索システム１は、キーワードを受付けるキーワード受付部１０と、キーワード受付部１０が受付けたキーワードと関連するコンテンツを抽出する抽出部１２と、抽出部１２が抽出したコンテンツの一覧を表示した画面から、抽出手段が抽出したコンテンツへのアクセスを受付けるアクセス受付部２２と、キーワードと、アクセス受付部２２が受付けたアクセス先コンテンツとの組合せ毎に、アクセス先コンテンツへのアクセス回数をカウントするカウント部２６と、抽出部１２が抽出したコンテンツの一覧を、カウント部２６がカウントしたアクセス回数に基づいて表示する表示部２０とを備える。【選択図】  図１
2006092178.tif 000002
【特許請求の範囲】
【請求項１】
キーワードを受付けるキーワード受付手段と、
前記キーワード受付手段が受付けたキーワードと関連するコンテンツを抽出する抽出手段と、
前記抽出手段が抽出したコンテンツの一覧を表示した画面から、前記抽出手段が抽出したコンテンツへのアクセスを受付けるアクセス受付手段と、
前記キーワードと、前記アクセス受付手段が受付けたアクセス先コンテンツとの組合せ毎に、前記アクセス先コンテンツへのアクセス回数をカウントするカウント手段と、
前記抽出手段が抽出したコンテンツの一覧を、前記カウント手段がカウントしたアクセス回数に基づいて表示する表示手段と
を備えることを特徴とする検索システム。
【請求項２】
前記カウント手段は、同一ユーザが使用する端末による、前記キーワードに対して前記抽出手段が抽出した一つのコンテンツへの複数回目のアクセス要求を、前記アクセス受付手段が受付けた場合は、カウントを行わないことを特徴とする請求項１に記載の検索システム。
【請求項３】
キーワード受付手段によって、キーワードを受付けるステップと、
抽出手段によって、前記キーワード受付手段が受付けたキーワードと関連するコンテンツを抽出するステップと、
アクセス受付手段によって、前記抽出手段が抽出したコンテンツの一覧を表示する画面から、前記抽出手段が抽出したコンテンツへのアクセスを受付けるステップと、
カウント手段によって、前記キーワードと、前記アクセス受付手段が受付けたアクセス先コンテンツとの組合せ毎に、前記アクセス先コンテンツへのアクセス回数をカウントするステップと、
表示手段によって、前記抽出手段が抽出したコンテンツの一覧を、前記カウント手段がカウントしたアクセス回数に基づいて表示するステップと
を備えたことを特徴とする検索結果表示方法。
【請求項４】
キーワードを受付けるキーワード受付手段と、
前記キーワード受付手段が受付けたキーワードを含むウェブページを抽出する抽出手段と、
前記抽出手段が抽出したウェブページの一覧を表示した画面から、前記抽出手段が抽出したウェブページへのアクセスを受付けるアクセス受付手段と、
前記キーワードと、前記アクセス受付手段が受付けたアクセス先ウェブページとの組合せ毎に、前記アクセス先ウェブページへのアクセス回数をカウントするカウント手段と、
前記抽出手段が抽出したウェブページの一覧を、前記カウント手段がカウントしたアクセス回数に基づいて表示する表示手段と
を備えることを特徴とする検索システム。
【請求項５】
前記カウント手段は、同一ユーザが使用する端末による、前記キーワードに対して前記抽出手段が抽出した一つのウェブページへの複数回目のアクセス要求を、前記アクセス受付手段が受付けた場合は、カウントを行わないことを特徴とする請求項４に記載の検索システム。
【請求項６】
キーワード受付手段によって、キーワードを受付けるステップと、
抽出手段によって、前記キーワード受付手段が受付けたキーワードと関連するウェブページを抽出するステップと、
アクセス受付手段によって、前記抽出手段が抽出したウェブページの一覧を表示する画面から、前記抽出手段が抽出したウェブページへのアクセスを受付けるステップと、
カウント手段によって、前記キーワードと、前記アクセス受付手段が受付けたアクセス先ウェブページとの組合せ毎に、前記アクセス先ウェブページのアクセス回数をカウントするステップと、
表示手段によって、前記抽出手段が抽出したウェブページの一覧を、前記カウント手段がカウントしたアクセス回数に基づいて表示するステップと
を備えたことを特徴とする検索結果表示方法。
【発明の詳細な説明】
【技術分野】
【０００１】
本発明は、検索システム及び検索結果表示方法に関する。
【背景技術】
【０００２】
キーワードを入力すると、インターネットにおいて、入力したキーワードを検索して、そのキーワードを含むウェブページの一覧を表示する検索システムがある。
【０００３】
ユーザが、この検索システムを利用して目的のウェブページを探すには、目的のウェブページと関連があるキーワードを入力する。そのキーワードに対する検索の結果、表示されたウェブページの一覧が、一画面に表示できないほど件数が多い場合がある。また、目的と合わないウェブページも多く表示される。すると、目的に合うウェブページを見つけ出すのに時間がかかる。特に、携帯電話のような小型の画面においては、より手間がかかる。よって、目的のウェブページに速く到達できる検索システムが求められている。
特許文献１には、キーワードを入力すると、過去のアクセス回数の多いウェブページから順に、検索結果を表示する検索システムについて開示されている。
【特許文献１】特開２００４−２１５８９号公報
【発明の開示】
【発明が解決しようとする課題】
【０００４】
上記特許文献１に開示された検索システムにおいては、ウェブページごとに過去のアクセス回数をカウントしている。しかし、検索時に入力したキーワードとは関係の無い内容の閲覧が目的で、過去に多数のアクセスが行われるウェブページもある。結果として、入力したキーワードとは関係の無いウェブページが、検索結果を表示する画面の上位に表示されてしまう場合がある。
そこで本発明は、目的のコンテンツやウェブページにより速く到達することができる検索システムを提供することを課題とする。
【課題を解決するための手段】
【０００５】
上記課題を解決するために、本発明の検索システムは、キーワードを受付けるキーワード受付手段と、キーワード受付手段が受付けたキーワードと関連するコンテンツを抽出する抽出手段と、抽出手段が抽出したコンテンツの一覧を表示した画面から、抽出手段が抽出したコンテンツへのアクセスを受付けるアクセス受付手段と、キーワードと、アクセス受付手段が受付けたアクセス先コンテンツとの組合せ毎に、アクセス先コンテンツへのアクセス回数をカウントするカウント手段と、抽出手段が抽出したコンテンツの一覧を、カウント手段がカウントしたアクセス回数に基づいて表示する表示手段とを備えたことを特徴としている。
【０００６】
抽出手段が抽出したコンテンツの一覧を表示した画面から、コンテンツへのアクセス回数を、キーワードとコンテンツとの組合せ毎に、カウント手段がカウントすることによって、そのキーワードに関連する内容の閲覧または利用を目的としたコンテンツへのアクセス回数を、キーワード毎にカウントすることができる。
【０００７】
さらに、表示手段が、入力したキーワードに関連するコンテンツの一覧を、カウント手段がカウントしたカウント回数に基づいて表示することによって、入力したキーワードと関連する内容の閲覧または利用を目的としたアクセスの回数が多いコンテンツを、検索結果の表示画面に目立つように表示することができる。例えば、アクセス回数が多いコンテンツを、表示画面の上方に表示したり、大きく表示したりすることによって、目立つように表示することができる。
【０００８】
また、本発明の検索システムにおいては、カウント手段が、同一ユーザが使用する端末による、キーワードに対して抽出手段が抽出した一つのコンテンツへの複数回目のアクセス要求を、アクセス受付手段が受付けた場合は、カウントを行わないことも好ましい。カウント手段が、同一ユーザが使用する端末による、一つのキーワードについての検索結果に対して表示された一つのコンテンツへのアクセスが、複数回目である場合はカウントを行わないようにすることで、同一ユーザが使用する端末が集中的に一つのコンテンツへアクセスを行っても、同一ユーザが使用する端末による、キーワードに対するそのコンテンツへのアクセス回数は１回とみなされる。従って、特定のユーザからの集中的なアクセスを受けたコンテンツを排除して、アクセスしたユーザ人数の多いコンテンツを、検索結果の表示画面に目立つように表示することができる。
【０００９】
また、本発明の検索結果表示方法は、キーワード受付手段によってキーワードを受付けるステップと、抽出手段によって、キーワード受付手段が受付けたキーワードと関連するコンテンツを抽出するステップと、アクセス受付手段によって、抽出手段が抽出したコンテンツの一覧を表示する画面から、抽出手段が抽出したコンテンツへのアクセスを受付けるステップと、カウント手段によって、キーワードと、アクセス受付手段が受付けたアクセス先コンテンツとの組合せ毎に、アクセス先コンテンツへのアクセス回数をカウントするステップと、表示手段によって、抽出手段が抽出したコンテンツの一覧を、カウント手段がカウントしたアクセス回数に基づいて表示するステップとを備えたことを特徴としている。
【００１０】
入力したキーワードと関連のあるコンテンツの一覧を表示した画面からコンテンツへのアクセス回数に基づいて、入力したキーワードに関連するコンテンツの一覧を表示することによって、入力したキーワードと関連する内容の閲覧または利用を目的としたアクセスの回数が多いコンテンツを、検索結果の表示画面に目立つように表示することができる。
【００１１】
また、本発明の検索システムは、キーワードを受付けるキーワード受付手段と、キーワード受付手段が受付けたキーワードを含むウェブページを抽出する抽出手段と、抽出手段が抽出したウェブページの一覧を表示した画面から、抽出手段が抽出したウェブページへのアクセスを受付けるアクセス受付手段と、キーワードと、アクセス受付手段が受付けたアクセス先ウェブページとの組合せ毎に、アクセス先ウェブページへのアクセス回数をカウントするカウント手段と、抽出手段が抽出したウェブページの一覧を、カウント手段がカウントしたアクセス回数に基づいて表示する表示手段とを備えたことを特徴としている。
【００１２】
抽出手段が抽出したウェブページの一覧を表示した画面からウェブページへのアクセス回数に基づいて、表示手段が入力したキーワードを含むウェブページの一覧を表示することによって、入力したキーワードと関連する内容の閲覧または利用を目的としたアクセスの回数が多いウェブページを、検索結果の表示画面に目立つように表示することができる。
【００１３】
また、本発明の検索システムにおいては、カウント手段が、同一ユーザが使用する端末による、キーワードに対して抽出手段が抽出した一つのウェブページへの複数回目のアクセス要求を、アクセス受付手段が受付けた場合は、カウントを行わないことを特徴とすることも好ましい。カウント手段が、同一ユーザが使用する端末による、キーワードに対して抽出手段が抽出した一つのウェブページへのアクセスが複数回目である場合はカウントを行わない。従って、特定のユーザからの集中的なアクセスを受けたウェブページを排除して、アクセスしたユーザ人数の多いウェブページを、検索結果の表示画面に目立つように表示することができる。
【００１４】
また、本発明の検索結果表示方法は、キーワード受付手段によってキーワードを受付けるステップと、抽出手段によって、キーワード受付手段が受付けたキーワードと関連するウェブページを抽出するステップと、アクセス受付手段によって、抽出手段が抽出したウェブページの一覧を表示する画面から、抽出手段が抽出したウェブページへのアクセスを受付けるステップと、カウント手段によって、キーワードと、アクセス受付手段が受付けたアクセス先ウェブページとの組合せ毎に、アクセス先ウェブページのアクセス回数をカウントするステップと、表示手段によって、抽出手段が抽出したウェブページの一覧を、カウント手段がカウントしたアクセス回数に基づいて表示するステップとを備えたことを特徴としている。
【００１５】
入力したキーワードを含むウェブページの一覧を表示した画面からウェブページへのアクセス回数に基づいて、入力したキーワードに関連するウェブページの一覧を表示することによって、入力したキーワードと関連する内容の閲覧または利用を目的としたアクセスの回数が多いウェブページを、検索結果の表示画面に目立つように表示することができる。
【発明の効果】
【００１６】
本発明の検索システム及び検索結果表示方法によれば、入力したキーワードと関連する内容の閲覧または利用を目的としたアクセスの回数が多いコンテンツやウェブページを目立つように表示することができる。よって、目的のコンテンツやウェブページにより速く到達することができる。
【発明を実施するための最良の形態】
【００１７】
以下、添付図面を参照しながら本発明の実施の形態について説明する。
【００１８】
まず、本実施形態の検索システムの構成について説明する。図１は、本実施形態における検索システム１の構成図である。検索システム１は、キーワードを入力すると、キーワードと関連のあるウェブページの一覧を表示する、ウェブページの検索システムである。ウェブページとは、インターネット上で公開されている文書であって、ＷＥＢブラウザに一度に表示されるデータのまとまりである。ウェブページは、テキストデータや、テキスト中に埋め込まれた画像や音声、動画などのデータから構成される。
【００１９】
検索システム１は、キーワード受付部１０（キーワード受付手段）と、抽出部１２（抽出手段）と、キーワードデータベース１４と、表示順決定部１６と、カウントデータベース１８と、表示部２０（表示手段）と、アクセス部２２（アクセス受付手段）と、アクセスデータベース２４と、カウント部２６（カウント手段）とを備えて構成される。続いて、各構成要素について詳細に説明する。
【００２０】
キーワード受付部１０は、ユーザ端末から入力されるキーワードを受付ける部分である。ユーザ端末とは、例えば、携帯電話である。キーワード受付部１０は、受付けたキーワードを抽出部１２に出力する。
【００２１】
抽出部１２は、キーワードデータベース１４において、キーワード受付部１０が受付けたキーワードを含むウェブページのカウントＩＤを抽出する部分である。ここで、キーワードを含むウェブページには、キーワードが、文章中に含まれているウェブページと、キーワードがウェブページと関連づけられて格納されているウェブページとがある。以下、キーワードがウェブページと関連づけられて格納されているウェブページの検索システムについて説明する。キーワードデータベース１４の構成図を図２に示す。キーワードデータベース１４には、ウェブページ名と、カウントＩＤと、ウェブページのＵＲＬと、ウェブページに対して関連づけられたキーワードが、関連づけて格納されている。カウントＩＤとは、ウェブページを識別する番号である。抽出部１２は、抽出したカウントＩＤを表示順決定部１６へ出力する。
【００２２】
キーワードデータベース１４が、図２に示すデータを格納している場合について具体的に説明する。キーワード受付部１０が、「くるみ」というキーワードを受付けると、抽出部１２は、キーワードデータベース１４において、「くるみ」をキーワードとして関連づけて格納された、カウントＩＤ「０００００１」と、カウントＩＤ「０００００２」と、カウントＩＤ「０００００３」とを抽出する。
【００２３】
図１に戻って、表示順決定部１６は、カウントデータベース１８に格納されたデータに基づいて、抽出部１２が抽出したカウントＩＤの順位を決定する部分である。カウントデータベース１８の構成図を図３に示す。カウントデータベース１８は、キーワードと、カウントＩＤと、アクセス回数とが関連付けられて格納されている。アクセス回数とは、後述するカウント部２６が、キーワードとカウントＩＤの組合せ毎にカウントする、ユーザ端末によるウェブページへのアクセス回数である。表示順決定部１６は、カウントデータベース１８において、入力されたキーワードに応じてカウントＩＤに関連づけられたアクセス回数が多い順に、順位を決定する。抽出部１２が抽出したカウントＩＤであって、カウントデータベース１８において、キーワード受付部１０が受付けたキーワードに関連付けて格納されていないカウントＩＤ（すなわち、未だ一回もアクセスされていないウェブページのカウントＩＤ）は、既に順位づけられたカウントＩＤの順位に続く下位に順位づけられる。表示順決定部１６は、決定したカウントＩＤの順位を表示部２０に出力する。
【００２４】
カウントデータベース１８が、図３に示すデータを格納している場合であって、「くるみ」というキーワードに対して、「０００００１」と、「０００００２」と、「０００００３」のカウントＩＤが抽出されている場合について具体的に説明する。カウントデータベース１８において、キーワード「くるみ」に関連づけて格納されているカウントＩＤは、表示順決定部１６によって、アクセス回数の多い順に、カウントＩＤ「０００００２」が１位、カウントＩＤ「０００００１」が２位に順位付けされる。次に、カウントデータベース１８においてキーワード「くるみ」に関連づけて格納されていなかった、カウントＩＤ「０００００３」が、表示順決定部１６によって、３位に順位付けされる。
【００２５】
図１に戻って、表示部２０は、表示順決定部１６によって決定されたカウントＩＤの順位に従って、カウントＩＤと関連づけられたウェブページの一覧を、検索結果として、ユーザ端末の表示画面に表示する部分である。図４は、検索結果の表示画面の一例を示す図である。図４は、カウントデータベース１８が図３に示すデータを格納している場合に、表示部２０が表示する検索結果の画面である。表示部２０は、表示順決定部１６によって１位と決定されたカウントＩＤ「０００００２」のウェブページ「ウェブページＢ」を、１番目に表示する。そして、表示部２０は、表示順決定部１６によって２位と決定されたカウントＩＤ「０００００１」のウェブページ「ウェブページＡ」を、２番目に表示し、表示順決定部１６によって３位と決定されたカウントＩＤ「０００００３」のウェブページ「ウェブページＣ」を、３番目に表する。
【００２６】
図１に戻って、アクセス部２２は、表示部２０が表示したウェブページの一覧から、一つのウェブページへのアクセス要求を、ユーザ端末から受付ける部分である。アクセス部２２は、ユーザ端末からアクセス要求を受付けると、表示部２０が表示している検索結果のキーワードと、アクセス要求を受付けたユーザ端末の端末ＩＤと、アクセス要求のアクセス先のウェブページのカウントＩＤとを、後述するアクセスデータベース２４に出力し、アクセスデータベース２４を更新する。端末ＩＤとは、ユーザ端末固有の番号であり、ユーザ端末が、ウェブページへのアクセス要求を行うと、ユーザ端末から出力される。
【００２７】
アクセスデータベース２４の構成を図５に示す。アクセスデータベース２４には、キーワード毎に、アクセス部２２がアクセスを受付けた端末の端末ＩＤと、当該端末ＩＤを有する端末によってアクセスされたアクセス先のカウントＩＤとが関連づけて格納されている。
【００２８】
カウント部２６は、アクセスデータベース２４に格納されたデータに基づいて、キーワードとアクセス先のカウントＩＤの組合せ毎に、アクセス回数をカウントする部分である。ただし、カウント部２６は、一つのキーワードに対する、一つのアクセス先のカウントＩＤに対して、一つの端末が、複数回目のアクセスを行っている場合は、カウントしない。具体的には、カウント部２６は、アクセスデータベース２４において格納されたキーワード毎かつ、アクセス先カウントＩＤ毎に、端末ＩＤの個数を、端末ＩＤの重複を排除して、カウントする。カウントした結果をカウントデータベース１８に出力し、カウントデータベース１８を更新する。
【００２９】
アクセスデータベース２４が、図５に示すデータを格納している場合について、より具体的に説明する。図５によると、キーワード「くるみ」に対するアクセス先カウントＩＤ「０００００１」に対して、端末ＩＤ「０９０１１１１１１１１」が複数個格納されているが、１とカウントする。同じキーワード「くるみ」に対して、アクセス先カウントＩＤ「０００００２」に対して、６種類の端末ＩＤが１個ずつ、合計６個格納されているので、６とカウントする。
【００３０】
従って、カウントデータベース１８に格納されているアクセス回数は、キーワードの検索結果を表示した画面から、ユーザ端末がアクセス要求を行った回数であって、重複した端末のアクセスのカウントは排除されている。
【００３１】
続いて、本実施形態にかかる検索システム１の動作について説明し、併せて本発明の実施にかかる検索結果表示方法について説明する。
【００３２】
本実施形態にかかる検索システム１の動作のフロー図を図６に示す。まず、ユーザ端末によって入力されるキーワードがキーワード受付部１０によって受付けられる（Ｓ１）。キーワードが受付けられると、キーワードデータベース１４において、キーワード受付部１０によって受付けられたキーワードと、関連づけられたウェブページのカウントＩＤが、抽出部１２によって抽出される（Ｓ２）。カウントＩＤが抽出されると、表示順決定部１６によって、カウントデータベース１８に格納されたデータに基づいて、抽出部１２が抽出したカウントＩＤの順位が決定される（Ｓ３）。表示順決定部１６によって、カウントＩＤの順位が決定されると、表示順決定部１６によって決定された順位に従って、カウントＩＤに関連づけられたウェブページの一覧が、表示部２０によって表示画面に表示される（Ｓ４）。
【００３３】
ウェブページの一覧が表示された表示画面から、ウェブページへのアクセス要求が、ユーザ端末によってなされると、アクセス部２２によって、ユーザ端末によるアクセス要求が受付けられる（Ｓ５）。アクセス要求が受付けられると、アクセスデータベース２４に、キーワード受付部１０が受付けたキーワードと、アクセス要求を行った端末ＩＤと、アクセス部が受付けたアクセス先のウェブページのカウントＩＤとが関連づけられて格納される（Ｓ６）。アクセスデータベース２４に、キーワードと、端末ＩＤと、アクセス先カウントＩＤとが関連づけられてアクセスデータベース２４に格納されると、アクセスデータベース２４において格納されたキーワードと、アクセス先カウントＩＤに対する、端末ＩＤの個数が、端末ＩＤの重複を排除して、カウント部２６によってカウントされる（Ｓ７）。カウント部２６がカウントした結果は、キーワードとアクセス先カウントＩＤと関連づけてカウントデータベースに格納される（Ｓ８）。
【００３４】
続いて、本実施形態にかかる検索システムの作用及び効果について説明する。抽出部１２が抽出したウェブページの一覧を表示した画面からウェブページへのアクセス回数の多い順に、表示部２０が入力したキーワードを含むウェブページの一覧を表示することによって、入力したキーワードと関連する内容の閲覧または利用を目的としたアクセスの回数が多いウェブページを、検索結果の表示画面に目立つように表示することができる。その結果、目的のウェブページにより速く到達することが可能となる。
さらに、アクセス回数は、同一ユーザが使用する端末による複数のアクセスを排除してカウントされるので、ユーザ一人の嗜好による偏りを排除したアクセス回数に基づいて、コンテンツやウェブページを目立つように表示することができる。
【００３５】
上記実施形態において、キーワードデータベース１４において、キーワード受付部１０が受付けたキーワードと、関連づけられたウェブページのカウントＩＤが、抽出部１２によって抽出されるとした。抽出部１２が、ウェブに公開されているウェブページの全文を、キーワードについて検索し、キーワードを含むウェブページを抽出しても良い。
【００３６】
上記実施形態において、ユーザ端末は、例えば携帯端末であるとしたが、ユーザ端末は、パーソナルコンピュータでもよい。パーソナルコンピュータがウェブページまたはコンテンツへのアクセス要求を行っても、端末ＩＤは出力されない。そこで、パーソナルコンピュータからアクセスを受付ける際には、アクセス部２２が、パーソナルコンピュータから、ユーザを識別するユーザＩＤを受付ける。ユーザＩＤは、上記実施形態における端末ＩＤと同様に扱われる。よって、パーソナルコンピュータからのアクセスであっても、アクセス回数は、同一ユーザが使用する端末による複数のアクセスを排除してカウントされる。
【００３７】
続いて、第２の実施形態について説明する。上記実施形態において、検索システム１は、結果表示画面からのウェブページへのアクセス回数を、キーワード毎かつ、アクセス先のウェブページ毎にカウントし、そのアクセス回数が多い順にウェブページの検索結果を表示する、ウェブページの検索を行うシステムであった。以下説明する第２の実施形態において、検索システム１は、結果表示画面からのコンテンツへのアクセス回数を、キーワード毎かつ、アクセス先のコンテンツ毎にカウントし、そのアクセス回数が多い順にコンテンツの検索結果を表示する、コンテンツの検索を行う検索システムである。コンテンツには、画像データ、音楽データ、ゲームなどのソフトウエアが含まれる。以下、第２の実施形態として、ゲームの検索を行うシステムについて説明する。
【００３８】
最初に、上記実施形態であるウェブページの検索システムと、第２の実施形態であるゲームの検索システムとの異なる点について説明する。
まず、キーワードデータベース１４に格納されているデータが異なる。ウェブページの検索システムにおいて、キーワードデータベース１４には、ウェブページに対して、ウェブページに対するカウントＩＤと、ウェブページのＵＲＬと、ウェブページのキーワードを関連づけて格納されていた。ゲームの検索システムにおいて、キーワードデータベース１４には、ゲームに対して、ゲームのカウントＩＤと、ゲームを公開しているウェブページのＵＲＬと、ゲームのキーワードとを関連づけて格納されている。
また、ウェブページの検索システムにおいて、表示部２０は、検索結果のウェブページの一覧を、ユーザ端末の表示画面に表示する部分であった。一方、ゲームの検索システムにおいて、表示部２０は、検索結果のゲームの一覧を、ユーザ端末の表示画面に表示する部分である。
さらに、ウェブページの検索システムにおいて、アクセス部２２は、表示部２０が表示したウェブページの一覧から、一つのウェブページへのアクセス要求を、ユーザ端末から受付ける部分であった。ゲームの検索システムにおいて、アクセス部２２は、表示部２０が表示したゲームの一覧から、一つのゲームへのアクセス要求を、ユーザ端末から受付ける部分である。
ゲームの検索システムにおける、その他の構成要素と動作のフローは、ウェブページの検索システムと同様である。
【００３９】
続いて、ゲームの検索を行うゲーム検索システムと、ウェブページの検索を行うウェブページ検索システムとの違いについて説明する。例えば、キーワード「将棋」に対する検索結果の表示画面からアクセスを受付けた回数が、図８に示すデータであった場合について説明する。ここで、ウェブページＸは、ゲーム「将棋」とゲーム「もぐらたたき」を含むウェブページである。ウェブページＹは、ゲーム「ｉ将棋」とゲーム「ｉもぐらたたき」を含むウェブページである。そして、ゲーム「将棋」と「ｉ将棋」に対してのみ、キーワード「将棋」が関連づけられて、キーワードデータベース１４に格納されている。
【００４０】
上述の実施形態にかかるウェブページの検索システムを用いた場合、ウェブページ毎のアクセス回数が多いウェブページを上位に表示するので、ウェブページＸが上位に表示される。しかし、ウェブページＸは、ゲーム「将棋」に対してのアクセス回数は少ないので、ユーザにとって、目的のゲームではない可能性が高い。一方、第２の実施形態にかかるゲームの検索システムを用いた場合、ゲーム毎のアクセス回数が多いウェブページを上位に表示するので、ウェブページＹが上位に表示される。ウェブページＹは、ゲーム「ｉ将棋」に対するアクセス回数が多いので、ユーザにとって、目的のゲームである可能性が高い。従って、ユーザが、「将棋」に関するゲームを検索したい場合は、ゲームの検索システムを用いた方が、より速く、目的のゲームに到達することができる。
【図面の簡単な説明】
【００４１】
【図１】検索システムの構成図である。
【図２】ウェブページ検索用のキーワードデータベースの構成図である。
【図３】ウェブページ検索用のカウントデータベースの構成図である。
【図４】ウェブページ検索結果の表示画面の一例を示す図である。
【図５】ウェブページ検索用のアクセスデータベースの構成図である。
【図６】検索システムの動作を示すフロー図である。
【図７】ゲーム検索用のキーワードデータベースの構成図である。
【図８】ゲームへのアクセス回数の一例を示す図である。
【符号の説明】
【００４２】
１０・・・キーワード受付部、１２・・・抽出部、１４・・・キーワードデータベース、１６・・・表示部決定部、１８・・・カウントデータベース、２０・・・表示部、２２・・・アクセス部、２４・・・アクセスデータベース、２６・・・カウント部
【図１】
2006092178.tif 000003
【図２】
2006092178.tif 000004
【図３】
2006092178.tif 000005
【図４】
2006092178.tif 000006
【図５】
2006092178.tif 000007
【図６】
2006092178.tif 000008
【図７】
2006092178.tif 000009
【図８】
2006092178.tif 000010